(57)【要約】【課題】携帯に便利な携帯電話やＩＣカードを用いてロッカーボックスを解錠できるようにしながら、携帯電話やＩＣカードのチャージ金額の利用と現金の投入とを併用できるようにして利用し易いロッカーシステムを提供する。【解決手段】ロッカー扉２ａを開けて荷物を収納し、施錠スイッチ２３を操作する。集中制御装置１と携帯電話機Ｔとで赤外線で通信する。携帯電話機ＴのＩＤコードとチャージデータを集中制御装置１で読み取る。チャージ金額が利用料金に不足していれば操作表示部１２ａに不足料金の投入を案内する。硬貨投入口１６ａ、紙幣投入口１５ａから料金を投入する。集中制御装置１は現金処理のモードにより、つり銭を現金で払い出すとともに携帯電話機Ｔのチャージす金額をゼロにする。【選択図】図１
2005316688.tif 000002
【特許請求の範囲】
【請求項１】
現金投入口へ投入された現金によりロッカーの利用を可能にするとともに、携帯手段に対してチャージされている電子現金に基づいてロッカーの利用を可能にした貸しロッカーシステムであって、
前記ロッカーの利用料金に対して前記携帯手段における電子現金が不足している場合、前記現金投入口に投入された追加現金と前記携帯手段における電子現金との合計から利用料金の徴収を行って、前記ロッカーの利用を可能にすることを特徴とする貸しロッカーシステム。
【請求項２】
前記追加現金と前記携帯手段における電子現金との合計に対して前記利用料金の徴収により釣り金額がある場合に、該釣り金額を前記携帯手段に対してチャージするか該釣り金額の全額を現金で払い出すかを、選択できるようにしたことを特徴とする請求項１に記載の貸しロッカーシステム。
【請求項３】
現金投入口へ投入された現金によりロッカーの利用を可能にするとともに、携帯手段に対してチャージされている電子現金に基づいてロッカーの利用を可能にした貸しロッカーシステムであって、
前記ロッカーの利用料金に対して前記携帯手段における電子現金が不足している場合、前記現金投入口に投入された追加現金と前記携帯手段における電子現金との合計から利用料金を徴収し、残りの釣り金額を現金で払い出すとともに、前記携帯手段にチャージされている電子現金を全削除することを特徴とする貸しロッカーシステム。
【請求項４】
前記携帯手段がＩＣカード及び／または携帯電話機であることを特徴とする請求項１、２または３に記載の貸しロッカーシステム。
【発明の詳細な説明】
【技術分野】
【０００１】
本発明は、例えば駅構内に設置され、複数の利用者にロッカーボックスを利用可能とした貸しロッカーシステムに関する。
【背景技術】
【０００２】
従来、ロッカーシステムとしてプリペードカードを用いて利用できるものが例えば特開平７−３０５５４号公報に開示されている。このロッカーシステムは、ロッカー使用時にプリペードカードをカードリーダに挿入し、そのプリペードカードからロッカー利用料金を引き落としでロッカーを利用できるようにしたものである。
【０００３】
また、特開２００２−１５０３２４号公報には、定期券発行機において定期券の発行時に、そのときのつり銭を該定期券にチャージする技術が開示されている。また、この定期券にチャージしたつり銭をつり銭換金装置で現金に換金できることが記載されている。さらに、近年、携帯電話へ自動販売機用料金をチャージできるようにし、この携帯電話のチャージ金額で自動販売機を利用する技術もある。
【特許文献１】特開平７−３０５５４号公報
【特許文献２】特開２００２−１５０３２４号公報
【発明の開示】
【発明が解決しようとする課題】
【０００４】
しかし、プリペイドカードや携帯電話機等のチャージ金額が少なくなったときに、使用時の利便性の点で問題が生じる。例えば、特開平７−３０５５４号公報のものは、プリペードカードの残高度数がロッカー利用料金に満たないときは、プリペードカードを返却するだけであり、そのときは、ロッカーは利用できなくなってしまう。また、ロッカー利用には使えない残高度数がそのままプリペードカードに残ったとき、例えばそのプリペードカードに料金をチャージして補填しなければ、残高度数を有効に利用できない。
【０００５】
また、特開２００２−１５０３２４号公報のものでは、定期券発行機におけるつり銭切れの不都合を解消するために、定期券発行機で定期券を購入したときにその定期券につり銭をチャージするようにしている。また、つり銭の紙幣だけを払い出して端数を定期券にチャージするようにしている。このため、定期券につり銭がチャージされたままとなり、この定期券にチャージされたつり銭は自動発券機などの操作をしないとつり銭を現金に換金できない。すなわち、定期購入時とは別途の操作をしなければ換金できないので、手間を要するという問題がある。このことは、特開平７−３０５５４号公報のものにおいて、仮に換金装置で残高度数相当の現金に換金できるようにした場合も同様である。
【０００６】
本発明は、プリペードカードや携帯電話機等により貸しロッカーを利用可能とするとともに、料金不足等でも対応できるようにし、または、プリペードカードや携帯電話機等の携帯手段のチャージ料金の精算の手間をより簡便にし、ロッカー利用時の利便性を高くすることを課題とする。
【課題を解決するための手段】
【０００７】
請求項１の貸しロッカーシステムは、現金投入口へ投入された現金によりロッカーの利用を可能にするとともに、携帯手段に対してチャージされている電子現金に基づいてロッカーの利用を可能にした貸しロッカーシステムであって、前記ロッカーの利用料金に対して前記携帯手段における電子現金が不足している場合、前記現金投入口に投入された追加現金と前記携帯手段における電子現金との合計から利用料金の徴収を行って、前記ロッカーの利用を可能にすることを特徴とする。
【０００８】
請求項２の貸しロッカーシステムは、請求項１に記載の貸しロッカーシステムであって、前記追加現金と前記携帯手段における電子現金との合計に対して前記利用料金の徴収により釣り金額がある場合に、該釣り金額を前記携帯手段に対してチャージするか該釣り金額の全額を現金で払い出すかを、選択できるようにしたことを特徴とする。
【０００９】
請求項３の貸しロッカーシステムは、現金投入口へ投入された現金によりロッカーの利用を可能にするとともに、携帯手段に対してチャージされている電子現金に基づいてロッカーの利用を可能にした貸しロッカーシステムであって、前記ロッカーの利用料金に対して前記携帯手段における電子現金が不足している場合、前記現金投入口に投入された追加現金と前記携帯手段における電子現金との合計から利用料金を徴収し、残りの釣り金額を現金で払い出すとともに、前記携帯手段にチャージされている電子現金を全削除することを特徴とする。
【００１０】
請求項４の貸しロッカーシステムは、請求項１、２または３に記載の貸しロッカーシステムであって、前記携帯手段がＩＣカード及び／または携帯電話機であることを特徴とする。
【発明の効果】
【００１１】
請求項１の貸しロッカーシステムによれば、プリペイドカードや携帯電話機でロッカーを利用するときでも、利用料金の支払いに現金での支払い方式の併用が可能であり、例えばプリペードカードや携帯電話機のチャージ料金が不足していても現金で支払えばよいので、利用方法の汎用性が拡大して利便性が増加する。また、チャージ料金が不足していても、利用操作を中止してチャージ操作終了後に再度利用操作を行うという利用時の煩雑な操作を、かなり改善することができる。
【００１２】
請求項２の貸しロッカーシステムによれば、請求項１と同様な効果が得られるとともに、釣り銭をチャージすることもできる。
【００１３】
請求項３の貸しロッカーシステムによれば、携帯手段にチャージされている電子現金がロッカー利用料金に満たない場合に、この有効に利用できない電子現金が追加現金と共に利用できるようになり、かつ、釣り金額を現金で得られ、さらに携帯手段の残りのチャージ金額がゼロになるので、ロッカーの利用時と別途の精算操作を必要としないでチャージ精算でき、精算の手間がより簡便になる。
【００１４】
請求項４の貸しロッカーシステムによれば、請求項１、２または２と同様な効果が得られるとともに、携帯手段としてＩＣカードを用いると、例えば駅の自動改札等でＩＤコードを発信して改札を済ませるのに用いるカード型のプリペイドカード（例えば「Ｓｕｉｃａ」（商標））を用いることができ、特に貸しロッカーシステムは駅構内等に設置することが多いので、利用者が利用し易くなる。また、携帯手段として携帯電話機を用いると、近年広く普及している携帯電話機でロッカーボックスを使用できるので、利用者が利用し易くなる。
【発明を実施するための最良の形態】
【００１５】
次に、本発明の貸しロッカーシステムの実施形態を図面を参照して説明する。図１は本発明の実施形態の貸しロッカーシステムの外観正面図である。このシステムは集中制御装置１とその両側にそれぞれ複数のロッカーボックス２を配置したものである。集中制御装置１の内部には、レシートや領収書を発行するためのプリンタ１１、タッチパネル付きＬＣＤ表示器１２、非接触ＩＣカードＣからの電波を受信するカードリーダ１３、携帯電話機Ｔからの赤外線を受信する赤外線モジュール１４、紙幣の鑑別を行う紙幣鑑別機１５、硬貨の識別を行う検銭機１６が配設されている。
【００１６】
集中制御装置１のパネル面には、プリンタ１１からレシートや領収書を排出するためのレシート出口１１ａ、ＬＣＤ表示器１２の表示窓となる操作表示部１２ａ、カードリーダ１３で電波の送受信を行うアンテナ部１３ａ、赤外線モジュール１４で赤外線を受信する赤外線受信部１４ａ、紙幣鑑別機１５に紙幣を投入するための紙幣投入口１５ａ、検銭機１６に硬貨を投入するための硬貨投入口１６ａ、検銭機１６から硬貨を返却するための硬貨返却口１６ｂ、及び硬貨返却レバー１７が配設されている。
【００１７】
また、各ロッカーボックス２は、ロッカー扉２ａの内部に集中制御装置１からの制御信号に基づいてロッカー扉２ａを施解錠する錠装置２１、ロッカー扉２ａの開閉状態を検出する扉開閉スイッチ２２、錠装置２１側の框部に配設された施錠スイッチ２３、施錠スイッチ２３の上部に配設された施錠確認用ＬＥＤ２４、ロッカー２ａの錠装置２１の近傍に配設された状態表示用ＬＥＤ２５をそれぞれ備えている。
【００１８】
図２は集中制御装置１の要部ブロック図である。集中制御装置１はマイクロコンピュータで構成された制御ユニット１０と電源１０Ａを備えており、制御ユニット１０にはプリンタ１１、ＬＣＤ表示器１２、カードリーダ１３、赤外線モジュール１４、紙幣鑑別機１５、検銭機１６、各ロッカーボックス２の各錠装置２１が接続されている。また、錠装置２１には図示しない基板を介して、扉開閉スイッチ２２、施錠スイッチ２３、施錠確認用ＬＥＤ２４、状態表示用ＬＥＤ２５がそれぞれ接続されている。制御ユニット１０は、プリンタ１１への印字データの出力、ＬＣＤ表示器１２への表示データの出力と操作状態の検出を行う。また、制御ユニット１０は、カードリーダ１３、赤外線モジュール１４、紙幣鑑別機１５及び検銭機１６からのデータの入力や紙幣や硬貨の鑑別状態を検出する。さらに、制御ユニット１０は、錠装置２１を介して、扉開閉スイッチ２２、施錠スイッチ２３の操作状態を検出するとともに、施錠確認用ＬＥＤ２４、状態表示用ＬＥＤ２５の駆動制御を行う。そして、制御ユニット１０は後述の制御プログラムに基づいてロッカーシステムの制御を行う。
【００１９】
図３は実施形態の携帯電話機Ｔ及び非接触ＩＣカードＣを用いる場合の通信システムを概念的に示す要部ブロック図である。携帯電話機Ｔには、所定のダウンロード用ＷＥＢサーバ２０から予め通信用のアプリケーション（以後、「ロッカー利用アプリ」ともいう。）をダウンロードしておく。このアプリケーションのダウンロード時に、この携帯電話機Ｔに対して固有のＩＤコードが設定される。そして、携帯電話機Ｔはこのアプリケーションにより集中制御装置１との間で赤外線通信を行う。また、非接触ＩＣカードＣは制御ユニット１０の前記カードリーダ１３からの特定の電波を受信して起動し、予め記憶されているＩＤコードを送信する。
【００２０】
この実施形態では、操作表示部１２ａを操作して操作形態の異なる第１〜第３モードを選択することができるることができる。第１モードでは現金投入による施錠及び暗証番号の発行を行い、暗証番号による解錠を行う。第２モードでは携帯電話機ＴとそのＩＤコードにより施錠及び解錠を行う。第３モードでは非接触ＩＣカードＣとそのＩＤコードにより施錠及び解錠を行う。
【００２１】
第２モードで利用するときには、利用に先だって、集中制御装置１の操作表示部１２ａで「チャージ」のモードを選択して電子的な現金（電子現金）をチャージ（蓄積）しておく。すなわち、硬貨投入口１６ａから硬貨（例えば１００円硬貨）を投入するか、紙幣投入口１５ａから紙幣を投入し、携帯電話機Ｔで集中制御装置１と赤外線による通信を行い、所定の操作を行って、この携帯電話機Ｔの記憶領域に電子現金としてチャージする。この際、集中制御装置１は投入金額を回収して、携帯電話機Ｔにその投入金額相当の電子現金を示すチャージデータを書き込む。なお、このチャージデータは携帯電話機Ｔの単独の操作で変更することはできないように設定されている。そして、この第２モードでは、携帯電話機Ｔにチャージした電子現金で利用料金を支払ったり、現金投入により利用することができる。また、投入現金の釣り銭をチャージすることもできる。
【００２２】
以下、各モードにおける操作方法と装置の動作を説明する。なお、ロッカーボックス２が空き状態（非使用状態）のときは、錠装置２１は解錠状態で状態表示用ＬＥＤ２５が緑色に点灯されている。また、操作表示部１２ａの初期画面には「預け入れ」、「取り出し」、「チャージ」等の表示が行われており、利用者は、操作表示部１２ａのタッチパネルを操作して、所望の処理を選択する。「預け入れ」を選択し、空き状態のロッカーボックス２に荷物を収納してロッカー扉２ａを閉めると、施錠確認用ＬＥＤ２４が橙色で点滅するので、施錠スイッチ２３を押す。これにより、錠装置２１は仮施錠される。このとき、他に利用者が操作していなければ、施錠確認用ＬＥＤ２４が消灯するとともに状態表示用ＬＥＤ２５を赤色で点滅する。そして、操作表示部１２ａには、「暗証番号」、「携帯電話」、「ＩＣカード」の表示によりモードを選択するように案内が表示されるので、操作表示部１２ａのタッチパネルを操作してモードを選択する。
【００２３】
第１モード（暗証番号）：利用者が「預け入れ」を選択して荷物の投入及び施錠スイッチ２３を押し、「暗証番号」を選択する。これにより、操作表示部１２ａに利用料金（金額）と利用料金を投入するように案内する表示が行われる。硬貨投入口１６ａから硬貨（例えば１００円硬貨）を投入するか、紙幣投入口１５ａから紙幣を投入すると錠装置２１が施錠され、状態表示用ＬＥＤ２５が赤色の点灯に変わり、レシートと領収書が発行される。このレシートには、解錠用の例えば６桁の暗証番号が印刷されている。
【００２４】
解錠操作をするときは、操作表示部１２ａの初期画面で「取り出し」を選択するとともに、次の画面で「暗証番号」を選択する。そして、操作表示部１２ａから暗証番号を入力すると、所定の利用時間内であれば錠装置２１が解錠されて、状態表示用ＬＥＤ２５が赤の点滅となる。時間超過による追加料金が発生している場合には、暗証番号を入力した後、操作表示部１２ａに追加の料金投入を案内する表示が行われる。そして、追加の料金を硬貨投入口１６ａあるいは紙幣投入口１５ａから投入すると、プリンタ１１によりレシート及び領収書が発行されるとともに、錠装置２１が解錠され、状態表示用ＬＥＤ２５が赤の点滅となる。後は上記同様に荷物を取り出してロッカー扉２ａを閉めると状態表示ＬＥＤ２５が緑色の点灯に変わる。
【００２５】
第２モード（携帯電話）：この第２モードでは、第１モードと同様に利用者が「預け入れ」を選択して荷物の投入及び施錠スイッチ２３を押し、「携帯電話」を選択する。これにより、操作表示部１２ａに、携帯電話機Ｔにおいてアプリケーション（ロッカー利用アプリ）を起動して「ロッカーと通信」を選択するように促す表示が行われる。そこで、携帯電話機Ｔを集中制御装置１の赤外線受信部１４ａにかざして通信を行うと、該携帯電話機ＴのＩＤコード、チャージデータ、電話番号等の各種情報が集中制御装置１側で読み取られる。そして、チャージデータの金額が利用料金以上であれば、そのチャージデータから利用料金を引き落としてチャージデータを書き換え、錠装置２１が本施錠される。状態表示ＬＥＤ２５は前記同様に赤色の点灯に変わり、使用状態を表示する。また、施錠されるとレシートが発行される。
【００２６】
一方、チャージデータの金額が利用料金未満（あるいは０円）であれば、不足金額を表示するとともに、料金を投入するように案内する表示が行われる。そして、硬貨投入口１６ａから硬貨を投入するか、紙幣投入口１５ａから紙幣を投入すると錠装置２１が施錠され、状態表示用ＬＥＤ２５が赤色の点灯に変わり、レシートが発行される。このとき、お釣りの金額（釣り金額）があれば、釣り銭を現金で払い出すか、携帯電話機Ｔに対してチャージするかの選択画面が表示され、現金を選択すれば硬貨返却口１６ｂから釣り銭が払い出され、チャージを選択すれば携帯電話機Ｔに釣り銭相当の金額がチャージされる。
【００２７】
解錠操作をするときは、操作表示部１２ａの初期画面で「取り出し」を選択するとともに、次の画面で「携帯電話」を選択する。そして、携帯電話機Ｔを赤外線受信部１４ａにかざして通信すると、前記同様集中制御装置１でＩＤコード、チャージデータ、電話番号等の各種情報が読み取られ、所定の利用時間内であれば錠装置２１が解錠されて状態表示用ＬＥＤ２５が赤の点滅となる。追加料金が発生している場合には、前記ＩＤコードが読み取られた後、操作表示部１２ａに追加の料金支払いを案内する表示が行われる。そして、追加の料金を投入するとレシートと領収書が発行されるとともに、錠装置２１が解錠され、状態表示用ＬＥＤ２５が赤の点滅となる。後は前記同様に荷物を取り出してロッカー扉２ａを閉めると状態表示ＬＥＤ２５が緑色の点灯に変わる。なお追加の料金を投入してお釣りの金額がある場合も、前記同様に、釣り銭の払い出しまたはチャージの選択を行うことができる。
【００２８】
第３モード：利用者が「預け入れ」を選択して荷物の投入及び施錠スイッチ２３を押し、「ＩＣカード」を選択する。これにより、利用者が非接触ＩＣカードＣを集中制御装置１のアンテナ部１３ａにかざすと、その非接触ＩＣカードＣのＩＤコードが集中制御装置１側で読み取られ、操作表示部１２ａに利用料金と利用料金を投入するように案内する表示が行われる。料金を硬貨投入口１６ａあるいは紙幣投入口１５ａから投入すると錠装置２１が施錠され、状態表示用ＬＥＤ２５が赤色の点灯に変わり、レシートと領収書が発行される。
【００２９】
解錠操作をするときは、操作表示部１２ａで「取り出し」及び「ＩＣカード」を選択する。そして、非接触ＩＣカードＣをアンテナ部１３ａにかざすと、前記同様ＩＤコードが読み取られ、所定の利用時間内であれば錠装置２１が解錠されて、状態表示用ＬＥＤ２５が赤の点滅となる。そして、ロッカー扉２ａを開いて荷物を取り出し、ロッカー扉２ａを閉めると、状態表示ＬＥＤ２５が緑色の点灯に変わり、空き状態を表示する。なお、時間超過による追加料金が発生している場合には、前記ＩＤコードが読み取られた後、操作表示部１２ａに追加の料金投入を案内する表示が行われ。そして、追加の料金を硬貨投入口１６ａあるいは紙幣投入口１５ａから投入すると、レシート及び領収書が発行されるとともに、錠装置２１が解錠され、状態表示用ＬＥＤ２５が赤の点滅となる。後は上記同様に荷物を取り出してロッカー扉２ａを閉めると状態表示ＬＥＤ２５が緑色の点灯に変わる。
【００３０】
なお、各モードにおいて、施錠／解錠の対象とするロッカーボックス２は、暗証番号（第１モード）、携帯電話機ＴのＩＤコードに対応する解錠番号（第２モード）、非接触ＩＣカードＣのＩＤコード（第３モード）と、それぞれ対応付けられており、解錠操作のとき、集中制御装置１において、これらの暗証番号、解錠番号、ＩＤコードを確認し、認証されれたその暗証番号、解錠番号あるいはＩＤコードに対応する対象ロッカーボックス２を特定し、解錠を行っている。また、携帯電話機Ｔにおいては集中制御装置１との間で赤外線通信を行うとき、ＩＤコードと解錠番号を暗号化して授受している。なお、この携帯電話機ＴにおけるＩＤコードはロッカー利用アプリをサーバからダウンロードしたときに該サーバから設定登録されたものである。
【００３１】
図４は集中制御装置１のコンピュータ１０における制御プログラムの預け入れ処理の要部フローチャート、図５は同制御プログラムの取り出し処理の要部フローチャートであり、同フローチャートを参照しながら動作を説明する。図４の処理は図示しないメイン処理において「預け入れ」を選択したとき起動されるサブルーチンであり、図５の処理はメイン処理において「取り出し」を選択したとき起動されるサブルーチンである。なお、これらのフローチャートは主に第２モード（携帯電話）の処理を示している。
【００３２】
図４の預け入れ処理では、ステップＳ１及びステップＳ２で施錠スイッチ２３がＯＮされるのを監視し、ＯＮされずに所定時間経過するとステップＳ２からメインルーチンに復帰する。施錠スイッチ２３がＯＮされると、ステップＳ３で錠装置２１を仮施錠し、ステップＳ４で、操作表示部１２ａにおいて第１〜第３モードのいずれのモードが選択されるかを判定する。第１モードが選択されればステップＳ５で暗証番号の処理（第１モードの処理）を行い、第２モードが選択されればステップＳ６で利用料金を表示してステップＳ８に進む。第３モードが選択されればステップＳ７でＩＣカードの処理（第３モードの処理）を行う。
【００３３】
なお、ステップＳ５の暗証番号の処理では、利用料金の表示、利用料金の投入有無の判定、投入があれば錠装置２１の施錠、状態表示用ＬＥＤ２５の点灯、暗証番号を印刷したレシートと領収書の発行等の処理を行う。また、ステップＳ７のＩＣカードの処理では、非接触ＩＣカードＣからのＩＤコードの読み取り、上記同様に利用料金の表示、利用料金の投入有無の判定、錠装置２１の施錠、状態表示用ＬＥＤ２５の点灯、レシートと領収書の発行等の処理を行う。
【００３４】
第２モードで利用料金を表示すると、ステップＳ８で、携帯電話機Ｔとの赤外線通信を行い、携帯電話機ＴのＩＤコード、チャージデータ、電話番号等の各種情報を読み取り、ＩＤコードの確認とチャージデータの確認を行う。次に、ステップＳ９でチャージデータの金額（チャージ金額）が利用料金以上であるか否かを判定する。チャージ金額が利用料金以上であれば、ステップＳ１０でチャージ金額を表示するとともに、チャージされている電子現金での支払いを行うか（チャージでの支払い）を確認する表示を行う。そして、ステップＳ１１でチャージでの支払いの指示がなければ、ステップＳ１２で錠装置２１を解錠してメインルーチンに復帰（キャンセル）し、ステップＳ１１でチャージでの支払いの指示があれば、ステップＳ１３で、携帯電話機Ｔとの赤外線通信を行い、利用料金をチャージデータから引き落とし（携帯電話機Ｔのチャージデータを書き換える。）、ステップＳ１４で錠装置２１を本施錠してメインルーチンに復帰する。
【００３５】
ステップＳ９でチャージ金額が利用料金以上でなければ、ステップＳ１５で、利用料金に対しての不足金額と、料金を投入を依頼する表示を行い、ステップＳ１６でタイマーをスタートさせる。そして、ステップＳ１７及びステップＳ１８で料金が投入されるのを監視し、料金が投入されずに所定時間経過するとステップＳ１８からメインルーチンに復帰する。所定時間内に不足金額以上の料金が投入されると、ステップＳ１９で、つり銭があるか（つり銭が生じているか）を判定し、つり銭がなければ（不足金額丁度であれば）、ステップＳ２０で支払いの指示があるかを判定する。支払いの指示がなければメインルーチンに復帰し、支払いの指示があれば、ステップＳ１４で錠装置２１を本施錠してメインルーチンに復帰する。
【００３６】
ステップＳ１９でつり銭があれば、ステップＳ２１でつり銭処理の選択を行うための表示（つり銭処理選択表示）を行い、チャージ処理にするか現金処理にするかの選択処理（利用者による選択の受付処理）をする。そして、ステップＳ２２及びステップＳ２３でチャージ処理と現金処理のいずれが選択されたかを判定し、いずれも選択されなければメインルーチンに復帰する。チャージ処理が選択されれば、ステップＳ２４で携帯電話機Ｔとの赤外線通信を行い、つり銭を携帯電話機Ｔにチャージし（携帯電話機Ｔのチャージデータを書き換える。）、ステップＳ１４で錠装置２１を本施錠してメインルーチンに復帰する。現金処理が選択されっれば、ステップＳ２５で携帯電話機Ｔのチャージデータをゼロに書き換えるとともにつり銭を払い出して、ステップＳ１４で錠装置２１を本施錠してメインルーチンに復帰する。これにより、つり銭を現金で受け取って、チャージ金額をゼロに精算することができる。また、チャージ処理により現金のつり銭を持たずにチャージしておくこともできる。
【００３７】
図５の取り出し処理では、ステップＳ３１で、操作表示部１２ａにおいて第１〜第３モードのいずれのモードが選択されるかを判定する。第１モードが選択されればステップＳ３２で暗証番号の処理（第１モードの処理）を行い、第２モードが選択されればステップＳ３４に進む。第３モードが選択されればステップＳ３３でＩＣカードの処理（第３モードの処理）を行う。
【００３８】
なお、ステップＳ３２の暗証番号の処理では、ロッカー番号と暗証番号の入力画面の表示、ロッカー番号と暗証番号の入力受付及び確認等を行い、入力されたロッカー番号に対応する暗証番号であると確認されたら、錠装置２１の解錠、状態表示用ＬＥＤ２５の点灯等の処理を行う。また、ステップＳ３３のＩＣカードの処理では、非接触ＩＣカードＣからのＩＤコードの読み取り、ＩＤコードの確認、ＩＤコードに対応するロッカーの錠装置２１の解錠、状態表示用ＬＥＤ２５の点灯等の処理を行う。
【００３９】
第２モードが選択されると、ステップＳ３４で、携帯電話機Ｔとの赤外線通信を行い、携帯電話機ＴのＩＤコード、チャージデータ、電話番号等の各種情報を読み取り、ＩＤコードの確認とチャージデータの確認を行う。次に、ステップＳ３５で超過料金が発生しているかを判定し、発生していなければステップＳ３６でＩＤコードに対応するロッカーの錠装置２１を解錠してメインルーチンに復帰する。超過料金が発生していれば、ステップＳ３７で、チャージ金額が超過料金以上であるか否かを判定する。チャージ金額が超過料金以上であれば、ステップＳ３８でチャージ金額を表示するとともに、チャージでの支払いを確認する表示を行う。そして、ステップＳ３９でチャージでの支払いの指示がなければ、そのままメインルーチンに復帰し、ステップＳ３９でチャージでの支払いの指示があれば、ステップＳ４０で、携帯電話機Ｔとの赤外線通信を行い、超過料金をチャージデータから引き落とし（携帯電話機Ｔのチャージデータを書き換える。）、ステップＳ３６でＩＤコードに対応するロッカーの錠装置２１を解錠してメインルーチンに復帰する。
【００４０】
ステップＳ３７でチャージ金額が超過料金以上でなければ、ステップＳ４１で、超過料金に対しての不足金額と、料金を投入を依頼する表示を行い、ステップＳ４２でタイマーをスタートさせる。そして、ステップＳ４３及びステップＳ４４で料金が投入されるのを監視し、料金が投入されずに所定時間経過するとステップＳ４４からメインルーチンに復帰する。所定時間内に不足金額以上の料金が投入されると、ステップＳ４５で、つり銭があるか（つり銭が生じているか）を判定する。以下、ステップＳ４５〜Ｓ５１の処理は図４のステップＳ１９〜Ｓ２５と同様の処理であり、つり銭を携帯電話機Ｔへチャージするチャージ処理、つり銭を現金での払い出す現金処理を行う。また、この現金処理を行ったときに、チャージ金額はゼロとなることも同様である。
【００４１】
以上のように、携帯電話機にチャージされている電子現金でロッカーを利用でき、暗証番号方式、ＩＣカード方式により現金での支払いもできる。また、携帯電話機のチャージ金額が不足していても、そのままの処理で直ぐに現金で支払えばよいので、チャージ金額不足時に、最初からやり直す必要もなく、利用時の煩雑な操作が改善できる。また、チャージ金額が不足しているとき、ロッカー利用にはそのまま使えないチャージ金額をゼロに精算することもできる。すなわち、貸しロッカーの利用頻度の高い利用者であれば携帯電話機にチャージしておけばよいし、利用頻度の低い利用者はチャージ金額をゼロに精算しておいてもよい。
【００４２】
以上の実施形態では、つり銭を携帯電話機Ｔにチャージするチャージ処理を設けて、利用者が選択できるようにしているが、当然に、つり銭は常に現金で払い出すようにしてもよい。
【００４３】
以上の実施形態では、携帯電話機Ｔでチャージする場合について説明したが、非接触ＩＣカードＣに対してチャージするようにしてもよい。この場合の制御動作も上記実施形態の携帯電話機Ｔに対する処理と同様な処理を行えばよいことはいうまでもない。また、携帯に便利な携帯電話機Ｔや非接触ＩＣカードＣを用いてＩＤコードによりロッカーボックスを解錠できるので便利である。
【図面の簡単な説明】
【００４４】
【図１】本発明の実施の形態の貸しロッカーシステムの外観正面図である。
【図２】実施形態における集中制御装置の要部ブロック図である。
【図３】実施形態の携帯電話機及び非接触ＩＣカードを用いる場合の通信システムを概念的に示す要部ブロック図である。
【図４】実施形態における預け入れ処理のフローチャートである。
【図５】実施形態における取り出し処理のフローチャートである。
【符号の説明】
【００４５】
１      集中制御装置
２      ロッカーボックス
１０    制御ユニット
１２ａ  操作表示部
１３ａ  アンテナ部
１４ａ  赤外線受信部
２１    錠装置
Ｃ      非接触ＩＣカード
Ｔ      携帯電話機
【図１】
2005316688.tif 000003
【図２】
2005316688.tif 000004
【図３】
2005316688.tif 000005
【図４】
2005316688.tif 000006
【図５】
2005316688.tif 000007